(57)【要約】  【課題】  ビデオ・オーディオ信号について複数のフォーマットで出力が可能な映像装置において、コンピュータに出力するビデオ・オーディオ信号のフォーマットが切り換わる際に、映像装置とコンピュータの間の接続を、物理的なケーブルの抜き差しをすることなく自動的に遮断・再接続する映像装置および映像出力制御方法を提供する。  【解決手段】  映像装置１０のネットワーク制御部３６は、ビデオ・オーディオ信号のフォーマットが変化したことを検知すると、ネットワークインタフェース３７を制御して、論理的にネットワーク接続を遮断するケーブル抜き処理を行い、その後通常のケーブルが抜かれた場合の処理を行う。その後、所定の時間経過後、再びネットワークインタフェース３７を制御して、論理的にネットワークを再接続するケーブル差し処理を行い、その後通常のケーブルが差された場合の処理を行う。【選択図】  図１４
2006113766.tif 000002
【特許請求の範囲】
【請求項１】
画像信号を複数のフォーマットで出力可能な信号制御手段と、
コンピュータと接続するためのインタフェース手段と、
前記画像信号を、前記インタフェース手段を用いて前記コンピュータに送信するよう制御するインタフェース制御手段を有し、
前記インタフェース制御手段は、前記インタフェース手段を介して前記コンピュータに接続されている場合に、前記画像信号のフォーマットが切り替えられる際、前記インタフェース手段を制御して、物理的な接続状態を変更することなく前記コンピュータとの接続を遮断し、さらに所定の期間が経過した後、物理的な接続状態を変更することなく前記コンピュータと再接続することを特徴とする映像装置。
【請求項２】
請求項１に記載の映像装置において、
前記所定の期間は、前記コンピュータが、前記接続の遮断を検知可能な時間以上の長さに設定されることを特徴とする映像装置。
【請求項３】
請求項１に記載の映像装置において、
前記インタフェース手段はＩＥＥＥ１３９４インタフェースであり、
前記インタフェース制御手段は、
データリンク層における機能を管理するデータリンク層管理手段と、
物理層における機能を管理する物理層管理手段をさらに有し、
前記接続の遮断および再接続を、前記データリンク層管理手段と前記物理層管理手段を制御することによって実現することを特徴とする映像装置。
【請求項４】
請求項３に記載の映像装置において、
前記インタフェース制御手段は、
前記データリンク層管理手段と前記物理層管理手段の機能を停止させることによって前記遮断を行い、
前記停止された前記データリンク層管理手段と前記物理層管理手段の機能を再開させることによって前記再接続を行うよう制御することを特徴とする映像装置。
【請求項５】
請求項３に記載の映像装置において、
前記データリンク層管理手段と前記物理層管理手段は、それぞれ１つのチップで構成され、
前記インタフェース制御手段は、
前記それぞれのチップをリセットすることによって前記遮断を行い、
前記それぞれのチップのリセット解除をすることによって前記再接続を行うことを特徴とする映像装置。
【請求項６】
請求項５に記載の映像装置において、
前記インタフェース制御手段は、
前記遮断の際には、前記データリンク層管理手段に対応するチップのリセットを行った後、前記物理層管理手段に対応するチップのリセットを行い、
前記再接続の際には、前記物理層管理手段に対応するチップのリセット解除を行った後、前記データリンク層管理手段に対応するチップのリセット解除を行うことを特徴とする映像装置。
【請求項７】
請求項３に記載の映像装置において、
前記データリンク層管理手段と前記物理層管理手段は、１つのチップで構成され、
前記インタフェース制御手段は、
前記１つのチップをリセットすることにより前記遮断を行い、
前記１つのチップのリセット解除をすることによって前記再接続を行うことを特徴とする映像装置。
【請求項８】
請求項１に記載の映像装置において、
前記画像信号のフォーマットの切り替えが、ＤＶフォーマットからＨＤＶフォーマットへの切り換え、またはＨＤＶフォーマットからＤＶフォーマットへの切り換えであることを特徴とする映像装置。
【請求項９】
請求項１に記載の映像装置において、
前記画像信号のフォーマットの切り替えが、ユーザの指示によるものであることを特徴とする映像装置。
【請求項１０】
請求項１に記載の映像装置において、
前記画像信号は、前記フォーマットの異同にかかわらず、同一の記録メディアに記録され、
前記画像信号のフォーマットの切り替えが、前記記録メディアに記録された、異なるフォーマットの前記画像信号が順次再生されたことによるものであることを特徴とする映像装置。
【請求項１１】
複数のフォーマットで出力されうる画像信号を、コンピュータと接続するためのインタフェース手段を介して前記コンピュータに送信するよう制御する送信ステップと、
前記送信ステップにより前記コンピュータに接続されている場合に、前記画像信号のフォーマットが切り替えられる際、前記インタフェース手段を制御して、物理的な接続状態を変更することなく前記コンピュータとの接続を遮断し、さらに所定の期間が経過した後、物理的な接続状態を変更することなく前記コンピュータと再接続する遮断・再接続ステップを有することを特徴とする映像出力制御方法。
【請求項１２】
請求項１１に記載の映像出力制御方法において、
前記所定の期間は、前記コンピュータが、前記接続の遮断を検知可能な時間以上の長さに設定されることを特徴とする映像出力制御方法。
【請求項１３】
請求項１１に記載の映像出力制御方法において、
前記インタフェース手段はＩＥＥＥ１３９４インタフェースであり、
前記遮断・再接続ステップは、
データリンク層における機能を管理するデータリンク層管理ステップと、
物理層における機能を管理する物理層管理ステップをさらに有し、
前記接続の遮断および再接続を、前記データリンク層管理ステップと前記物理層管理ステップの動作を制御することによって実現することを特徴とする映像出力制御方法。
【請求項１４】
請求項１３に記載の映像出力制御方法において、
前記遮断・再接続ステップは、
前記データリンク層管理ステップと前記物理層管理ステップの動作を停止させることによって前記遮断を行い、
前記停止された前記データリンク層管理ステップと前記物理層管理ステップの動作を再開させることによって前記再接続を行うよう制御することを特徴とする映像出力制御方法。
【請求項１５】
請求項１３に記載の映像出力制御方法において、
前記データリンク層管理ステップと前記物理層管理ステップは、それぞれ１つのチップで実現され、
前記遮断・再接続ステップは、
前記それぞれのチップをリセットすることによって前記遮断を行い、
前記それぞれのチップのリセット解除をすることによって前記再接続を行うことを特徴とする映像出力制御方法。
【請求項１６】
請求項１５に記載の映像出力制御方法において、
前記遮断・再接続ステップは、
前記遮断の際には、前記データリンク層管理ステップを実現するチップのリセットを行った後、前記物理層管理ステップを実現するチップのリセットを行い、
前記再接続の際には、前記物理層管理ステップを実現するチップのリセット解除を行った後、前記データリンク層管理ステップを実現するチップのリセット解除を行うことを特徴とする映像出力制御方法。
【請求項１７】
請求項１３に記載の映像出力制御方法において、
前記データリンク層管理ステップと前記物理層管理ステップは、１つのチップで実現され、
前記遮断・再接続ステップは、
前記１つのチップをリセットすることにより前記遮断を行い、
前記１つのチップのリセット解除をすることによって前記再接続を行うことを特徴とする映像出力制御方法。
【請求項１８】
請求項１１に記載の映像出力制御方法において、
前記画像信号のフォーマットの切り替えが、ＤＶフォーマットからＨＤＶフォーマットへの切り換え、またはＨＤＶフォーマットからＤＶフォーマットへの切り換えであることを特徴とする映像出力制御方法。
【請求項１９】
請求項１１に記載の映像出力制御方法において、
前記画像信号のフォーマットの切り替えが、ユーザの指示によるものであることを特徴とする映像出力制御方法。
【請求項２０】
請求項１１に記載の映像出力制御方法において、
前記画像信号は、前記フォーマットの異同にかかわらず、同一の記録メディアに記録され、
前記画像信号のフォーマットの切り替えが、前記記録メディアに記録された、異なるフォーマットの前記画像信号が順次再生されたことによるものであることを特徴とする映像出力制御方法。
【発明の詳細な説明】
【技術分野】
【０００１】
この発明は、ビデオ・オーディオ信号を複数のフォーマットで出力可能な映像装置と、そのような映像装置において画像信号の出力をするための制御方法に関する。
【背景技術】
【０００２】
近年、ビデオカメラ装置のような映像装置の普及は目覚ましく、映像装置によってテープやディスク等の記録メディアに記録された動画や静止画を、パーソナルコンピュータ等のコンピュータやテレビジョン装置に出力して視聴する利用態様も一般化しつつある。このような視聴形態は、映像装置とコンピュータ等の間を所定のケーブルで接続し、所定の簡単な操作を行うだけで実現される。
【０００３】
一方、このように普及が進むビデオカメラ装置の機能の向上も顕著である。たとえば、同一の記録メディアに異なるフォーマットのビデオ・オーディオ信号を混在して記録させることができるモデルも登場している。こうしたビデオ・オーディオ信号フォーマットの例として、ＤＶ（Digital Video）フォーマットとＨＤＶ（High Definition Video）フォーマットの組み合わせが挙げられる。
【０００４】
ＤＶフォーマットは、民生用のビデオカメラ装置で広く用いられる記録フォーマットであり、データを約３．５Ｍｂ／秒の固定レートで圧縮する。このような圧縮レートにより放送レベルの品質に限りなく近づけることができる。ビデオ・オーディオデータは、ディジタル化されてテープに記録されるため、アナログコピーのような品質の劣化を伴うことなく、ケーブルを介してコンピュータのディスク装置にコピーしたり、テープにバックアップを取ったりすることもできる。この記録フォーマットを採用するビデオカメラ装置で使用される記録メディアは、ＤＶカセットテープ、またはミニＤＶカセットテープであり、ミニＤＶカセットテープの方が、ＤＶカセットテープより物理的に小さく、記録可能な時間は短くなる。
【０００５】
一方、ＨＤＶフォーマットには、７２０ｐ（プログレッシブ）方式と１０８０ｉ（インターレース）方式があり、高詳細なＨＤ（High Definition）映像の記録・再生が可能である。映像フォーマットはＭＰＥＧ２（Moving Picture Experts Group phase 2）であり、プログレッシブ方式で約１９Ｍｂ／秒、インターレース方式で約２５Ｍｂ／秒のレートで圧縮される。
【０００６】
また、ＨＤＶ規格では、ＤＶ規格と同じカセット、テープスピード、トラックピッチを採用しているため、ＤＶ規格の商品に対して親和性が高い。より具体的には、ＤＶ規格のビデオカメラ装置に、このＨＤＶフォーマットによる記録再生機能を追加して、両方のフォーマットのビデオ・オーディオ信号を１つのテープ等に記録することができる。
【０００７】
しかしながら、このようなＤＶフォーマットとＨＤＶフォーマットの両方に対応したビデオカメラ装置を、たとえばＩＥＥＥ（The Institute of Electrical and Electronics Engineers, Inc.）１３９４で規定されたケーブル（ＩＥＥＥ１３９４ケーブル）経由でコンピュータに接続し、再生途中で、出力画像（再生画像）のフォーマットを切り換えると、コンピュータ側がハングアップするという問題が生じる場合がある。
【０００８】
これは、コンピュータが、ＩＥＥＥ１３９４ケーブルによってビデオカメラ装置と接続された際に、そのビデオカメラ装置が採用している（その時点で再生している）フォーマットの専用ドライバを読み込み、それ以降、そのＩＥＥＥ１３９４ケーブルで接続されている間、そのドライバを介してビデオカメラ装置とのデータのやりとりを行うために発生する。
【０００９】
すなわち、コンピュータは、ＩＥＥＥ１３９４ケーブルによってビデオカメラ装置と接続されると、ＩＥＥＥ１３９４の規格に基づいて、そのビデオカメラ装置がＤＶフォーマットに対応するのかＨＤＶフォーマット（ＭＰＥＧ２）に対応するかを判定する。その判定の結果、ビデオカメラ装置のフォーマットに対応したドライバを読み込んで、それ以降、ビデオカメラ装置との接続が切断されるまで、ビデオカメラ装置とのデータ送受信を、そのドライバを介して行う。その結果、途中でビデオカメラ装置から、異なるフォーマットのビデオ・オーディオ信号を受信した場合に、ドライバが対応できずに、コンピュータ自体がハングアップする等の不具合を引き起こすのである。
【００１０】
したがって、このような問題を回避するためには、出力（再生）するデータのフォーマットが変わるたびに、ビデオカメラ装置とコンピュータとの間の接続を一旦遮断し、再度接続することが必要である。これには、たとえば、ケーブルの物理的な抜き差しが必要となる。
【００１１】
他方、特許文献１では、コンピュータ等の情報機器と、記憶機器のような周辺機器とが接続されている場合、情報機器は、周辺機器からのエラー信号を検出した際に、両機器間のインタフェースを、一部だけを残して切り離し、その後エラーからの復帰信号を検出した場合に、そのインタフェースを再接続する。
【００１２】
【特許文献１】特公平８−３１０６３号公報
【００１３】
また、特許文献２には、ＩＥＥＥ１３９４バスに接続されるノードをネットワークから自動的に切り離すように遠隔制御することができるネットワーク制御装置が開示されている。
【００１４】
【特許文献２】特開平１１−１６３９１２号公報
【００１５】
またさらに、これまでに市販されている、ＨＤＶフォーマットとＤＶフォーマットの記録・再生に対応したビデオカメラ装置の中には、ＩＥＥＥ１３９４バス接続の遮断および再接続を、ハードスイッチによって行うものがある。
【発明の開示】
【発明が解決しようとする課題】
【００１６】
しかしながら、上述した、コンピュータのハングアップ等の不具合を避けるために、ビデオカメラ装置から出力されるビデオ・オーディオ信号のフォーマットが変わるたびに、ビデオカメラ装置とコンピュータとの間の接続を一旦遮断し、その後再接続するようケーブルの抜き差しを行うことは、現実的な解決策ではない。それは、ＤＶカセットテープ等の記録メディアには、こうしたＨＤＶフォーマットとＤＶフォーマットのデータが混在して記録される場合があり、記録の順序によっては、ＤＶカセットテープの一連の再生処理において、頻繁にデータのフォーマットが変化する可能性があるからである。
【００１７】
また、ユーザがビデオカメラ装置のメニュー等を誤操作して、ＤＶカセットテープに記録されているＨＤＶフォーマットのデータを再生している途中に、ＤＶフォーマットのデータを再生するように指示したり、逆に、ＤＶフォーマットのデータの再生中に、ＨＤＶフォーマットのデータを再生するように指示することも考えられる。このような誤操作は、たとえば、ビデオカメラ装置の再生モードと録画モードを勘違いした場合などに少なからず起こりうる。
【００１８】
さらに、上述の特許文献１に開示された技術は、接続されている周辺機器からのエラー信号を検出した際に、両機器間のインタフェースの一部を切り離すものであり、インタフェースのすべてを切り離すものではない。さらに、この技術では、周辺機器からのエラー信号やエラーからの復帰信号を検出してインタフェースの遮断および再接続を行っており、情報機器自体の動作に起因するエラーを防止するものではない。この技術は、あくまでも、記憶機器のような周辺機器に記憶されるデータの保全性を高めることを目的としたものであり、上述した、コンピュータのハングアップ等の不具合の発生を回避するために使用できる技術ではない。
【００１９】
またさらに、上述の特許文献２に開示されたネットワーク制御装置は、ＩＥＥＥ１３９４バスに、誤って６４以上のノードが接続された場合に、データ伝送を行わない不必要な任意のノードをネットワークシステムから切り離すように遠隔制御するものであり、この装置を応用して、上述したハングアップ等の不具合の発生を回避することは、その目的および構成の点から到底できない。
【００２０】
さらに、上記のハードスイッチを備えるビデオカメラ装置では、ビデオカメラ装置とコンピュータとの接続を、ユーザを介さずに自動的に切り離し、再接続することはできない。また、このようなハードスイッチを設けることは、ユーザの操作をより煩雑にするだけでなく、ビデオカメラ装置の部品点数の削減や小型化の妨げとなる。
【００２１】
したがって、本発明の目的は、ビデオ・オーディオ信号について複数のフォーマットで出力が可能な映像装置において、コンピュータに出力するビデオ・オーディオ信号のフォーマットが切り換わる際に、映像装置とコンピュータの間の接続を、物理的なケーブルの抜き差しをすることなく自動的に遮断・再接続する映像装置および映像出力制御方法を提供することにある。
【課題を解決するための手段】
【００２２】
本発明の第１の実施態様は、画像信号を複数のフォーマットで出力可能な信号制御手段と、コンピュータと接続するためのインタフェース手段と、画像信号を、インタフェース手段を用いてコンピュータに送信するよう制御するインタフェース制御手段を有し、インタフェース制御手段は、インタフェース手段を介してコンピュータに接続されている場合に、画像信号のフォーマットが切り替えられる際、インタフェース手段を制御して、物理的な接続状態を変更することなくコンピュータとの接続を遮断し、さらに所定の期間が経過した後、物理的な接続状態を変更することなくコンピュータと再接続するように構成された映像装置である。
【００２３】
本発明の第２の実施態様は、本発明の第１の実施態様において、コンピュータが、接続の遮断を検知可能な時間以上の長さになるように、所定の期間が設定された映像装置である。
【００２４】
上記第１および第２の実施形態によって、映像装置が画像信号をコンピュータに送信（再生）している途中に、画像信号のフォーマットが変化しても、コンピュータ側のドライバが適切なものに変更され、コンピュータのハングアップ等の不具合を生じる危険性が排除される。
【００２５】
本発明の第３の実施態様は、複数のフォーマットで出力されうる画像信号を、コンピュータと接続するためのインタフェース手段を介してコンピュータに送信するよう制御する送信ステップと、送信ステップによりコンピュータに接続されている場合に、画像信号のフォーマットが切り替えられる際、インタフェース手段を制御して、物理的な接続状態を変更することなくコンピュータとの接続を遮断し、さらに所定の期間が経過した後、物理的な接続状態を変更することなくコンピュータと再接続する遮断・再接続ステップを有するように構成される映像出力制御方法である。
【００２６】
本発明の第４の実施態様は、本発明の第３の実施態様において、コンピュータが、接続の遮断を検知可能な時間以上の長さになるように、所定の期間が設定された映像出力制御方法である。
【００２７】
上記第３および第４の実施形態によって、映像装置が画像信号をコンピュータに送信（再生）している途中に、画像信号のフォーマットが変化しても、コンピュータ側のドライバが適切なものに変更され、コンピュータのハングアップ等の不具合を生じる危険性が排除される。
【発明の効果】
【００２８】
本発明に係る映像装置および映像出力制御方法によって、コンピュータに出力するビデオ・オーディオ信号のフォーマットが切り換わる際に、映像装置とコンピュータ間の接続が、物理的なケーブルの抜き差しをすることなく自動的に遮断・再接続される。コンピュータ側はその再接続のタイミングで、映像装置が出力するビデオ・オーディオ信号のフォーマットに対応したドライバを読み込むために、途中で、映像装置が出力するビデオ・オーディオ信号のフォーマットが切り換えられた場合であっても、ハングアップ等の不具合を生じることがない。
【発明を実施するための最良の形態】
【００２９】
本発明に係る映像装置は、ビデオ・オーディオ信号について、複数のフォーマットで出力することができる映像装置である。また、この映像装置には、動画を出力する装置だけでなく、静止画を出力する装置も含まれ、この場合は、ビデオ信号について、複数のフォーマットで出力することができる映像装置となる。
【００３０】
ここで、複数のフォーマットのビデオ・オーディオ信号は、たとえば、ＤＶフォーマットのデータ（信号）とＨＤＶフォーマットのデータ（信号）の組み合わせである。通常、これらの動画フォーマットには、映像データだけでなく音声データも含まれているが、本発明においては、少なくとも動画または静止画からなる画像信号（ビデオ信号）を扱うことができればよいので、本明細書では、これらのフォーマットに基づくデータを出力する装置を、単に「映像装置」と称する。
【００３１】
最初に、図１を参照して、本発明の映像装置とコンピュータとの接続形態について説明する。図１には、本発明に係る映像装置１０とコンピュータ１１が示されており、両者は、ＩＥＥＥ１３９４ケーブル１４によって互いに接続されている。当該接続により、ＩＥＥＥ１３９４バスが形成される。ＩＥＥＥ１３９４ケーブル１４を介して、制御信号とビデオ・オーディオ信号（映像・音声信号）が映像装置１０とコンピュータ１１との間でやりとりされる。また、コンピュータ１１は、従来の、一般的な構成のコンピュータである。
【００３２】
ビデオ・オーディオ信号の上記やりとりのうち、代表的な例は、映像装置１０で記録メディアに録画されたビデオ・オーディオ信号が、ＩＥＥＥ１３９４ケーブル１４を介してコンピュータ１１に出力されるという形態である。コンピュータ１１は、映像装置１０から受信したビデオ・オーディオ信号について、たとえば所定のデコード処理を施し、その結果得られた映像信号をモニタ１２に送出することによって映像を表示し、音声信号をスピーカ１３に送出することにより音声を出力する。
【００３３】
本発明に係る映像装置１０は、異なる複数のフォーマットのビデオ・オーディオ信号をコンピュータ１１が正常に受信できるように、フォーマットが切り換わるタイミングで、映像装置１０とコンピュータ１１の接続が（ソフト制御により）一旦、遮断され、その後、再接続されるように擬制する。これは、ＩＥＥＥ１３９４ケーブル１４が、物理的に抜き差しされたのと同じ効果を奏するものである。このような擬制処理の間、ＩＥＥＥ１３９４ケーブル１４は、物理的には映像装置１０とコンピュータ１１の間に接続されたまま維持される。すなわち、映像装置１０とコンピュータ１１の間の物理的な接続状態は変更されない。
【００３４】
図２には、こうした遮断・再接続の擬制処理の概念が示されている。図２Ａは、通常時の状態であり、映像装置１０、コンピュータ１１、機器２１ないし機器２３が、ネットワーク２４（この例では、ＩＥＥＥ１３９４バス）に物理的に接続され、論理的にも接続された状態である。ここで、たとえば、コンピュータ１１で動作する所定のネットワークツールを用いて、ネットワーク２４を介してコンピュータ１１に接続された機器のリストを表示させると、映像装置１０、および機器２１ないし機器２３が現れることになる。
【００３５】
図２Ｂは、映像装置１０が、ネットワーク２４との接続を、前述したように一旦、論理的に遮断した際の状態を示している。図２Ａと同様に、映像装置１０、コンピュータ１１、機器２１ないし機器２３が、ネットワーク２４に物理的に接続されているが、映像装置１０は、論理的にはネットワーク２４に接続されていない状態である。ここで、たとえば、コンピュータ１１で動作する所定のネットワークツールを用いて、ネットワーク２４を介してコンピュータ１１に接続された機器のリストを表示させると、機器２１ないし機器２３は現れるが、論理的には接続されていない映像装置１０は現れない。
【００３６】
映像装置１０は、一定時間が経過すると、再び論理的にもネットワーク２４に接続され、図２Ｂに示すような状態から図２Ａの状態に戻る。
【００３７】
次に、図３を参照して、本発明の一実施形態に係る映像装置１０の構成について説明する。映像装置１０は、カメラ部３１、カメラ制御部３２、機構制御部３３、ユーザインタフェース制御部３４、信号制御部３５、インタフェース制御部３６、およびインタフェース部３７を含んでいる。
【００３８】
カメラ部３１は、たとえばシャッター、レンズ、およびＣＣＤ（Charge Coupled Device）のような撮像装置から構成され、撮像した動画や静止画を電気信号として出力する。カメラ制御部３２は、シャッター動作の制御や、ズームおよびフォーカスの制御等を行う。機構制御部３３は、映像装置１０の録画や再生等に関連する各部の動作を制御する。
【００３９】
ユーザインタフェース制御部３４は、ユーザが指示するメニュー画面を映像装置１０のモニタ部（不図示）にＯＳＤ（On-Screen Display）等を利用して表示させ、そこからユーザの指示を受け取る。また、ユーザインタフェース制御部３４は、映像装置１０が備える各種ボタン（不図示）がユーザによって押下されたことを検知し、それに応じて機構制御部３３等に必要な信号を送信する。
【００４０】
信号制御部３５は、カメラ部３１等から得られた電気信号をエンコードしてビデオ信号を生成したり、記録メディアに記録されたビデオ・オーディオ信号をデコードしてモニタ部に表示したりする機能を有している。また、信号制御部３５は、記録メディアに記録されたビデオ・オーディオ信号をそのままのフォーマットで（あるいは別の形式にデコードして）インタフェース部３７を介して外部に出力する機能も有している。さらに、信号制御部３５は、複数のフォーマットでビデオ・オーディオ信号を記録・再生、および処理する機能を有している。
【００４１】
インタフェース制御部３６は、記録メディアにおけるビデオ・オーディオ信号のフォーマットの変化や、ユーザによるフォーマットの変更指示を検知すると、ネットワーク３８について論理的な遮断を行うよう制御し、その後、一定の時間が経過すると、ネットワーク３８の再接続を行うよう制御する。インタフェース部３７は、たとえば、ＩＥＥＥ１３９４バスであるネットワーク３８に接続され、インタフェース制御部３６の制御にしたがって、ネットワーク３８も対する遮断・再接続を実現するよう動作する。
【００４２】
インタフェース制御部３６とインタフェース部３７の構成については、図４を参照して、さらに詳細に説明する。図４には、ＣＰＵ４１、ＬＩＮＫ部４２、およびＰＨＹ部４３がそれぞれ、３チップ構成、２チップ構成、１チップ構成で表されている。これらのうち、どのような構成を採用するかは設計上の事項に過ぎない。また、これらのチップ構成は一例に過ぎず、他にも様々なパターンが考えられる。基本的に、ＣＰＵ４１がインタフェース制御部３６の機能を実現し、ＬＩＮＫ部４２およびＰＨＹ部４３がインタフェース部３７に対応する。なお、ＣＰＵ４１は、構成によっては、映像装置の他の制御にも関連する場合があるが、ここでは便宜上、ＣＰＵ４１は、ここで説明するネットワーク制御のみに関わるものとする。
【００４３】
ＬＩＮＫ部４２は、データリンク層の機能を管理する部分で、その基本的な機能は、送信するデータのパケットをＰＨＹ部４３に送出し、ＰＨＹ部４３が受信したデータパケットのトランザクション層、アプリケーション層への送出を管理することである。
【００４４】
ＰＨＹ部４３は、物理層の電気的インタフェースを管理する部分で、その基本的な機能は、ＬＩＮＫ部４２からのパラレルデータをシリアル変換し、ＩＥＥＥ１３９４規格の電気信号を発生し、また逆に、ＩＥＥＥ１３９４規格の電気信号をシリアルデータに戻し、さらにパラレルデータとしてＬＩＮＫ部４２に受け渡すことである。さらに、ＰＨＹ部４３単体では、シリアルバスの基本機能として、リピート、ケーブルの状態認識、バスの初期化、アービトレーション等を行う。
【００４５】
なお、ＩＥＥＥ１３９４の通信レイヤは、ＰＨＹレイヤ、ＬＩＮＫレイヤ、ＴＲＡＮＳＡＣＴＩＯＮレイヤの３層とシリアルバスマネージメントから構成され、上記物理層はＰＨＹレイヤに、上記データリンク層はＬＩＮＫレイヤにそれぞれ対応する。
【００４６】
次に、図５のフローチャートを参照して、コンピュータ１１がドライバを選択する手順の一例について説明する。
【００４７】
最初に、コンピュータ１１は、ステップＳ１０において、映像装置１０がＩＥＥＥ１３９４バスを介してコンピュータ１１に接続されたかどうかを検出する。こうした接続の判定は、少なくとも一定期間繰り返して行われる（ステップＳ１０のＮＯ）。コンピュータ１１は、映像装置１０が接続されたことを検出したら（ステップＳ１０のＹＥＳ）、ステップＳ１２で、映像装置１０に対して、たとえば、Output_Plug_Signal_FormatコマンドやOutput_Signal_ModeコマンドといったＡＶ／Ｃ（Audio/Video Control）コマンド(AV/C Digital Interface Command Set)を送信する。
【００４８】
次に、ステップＳ１４で、そのＡＶ／Ｃコマンドに対するレスポンスの種別によって、映像装置１０が、ＨＤＶフォーマット（ＭＰＥＧ２フォーマット）のビデオ・オーディオ信号を送出するＭＰＥＧ機器であるか、ＤＶフォーマットのビデオ・オーディオ信号を送出するＤＶ機器であるかが判定される。具体的には、これらのコマンドの少なくとも１つに、自身がＤＶ機器であることを示す信号を返した映像装置１０は、ＤＶ装置と判定する。
【００４９】
ステップＳ１４で、映像装置１０がＭＰＥＧ機器であると判定されると、コンピュータ１１は、ステップＳ１６において、ＩＥＥＥ１３９４バスを経由して映像装置１０からＭＰＥＧフォーマットのデータを受信するためのドライバ（ＭＰＥＧドライバ）を読み込む。
【００５０】
一方、ステップＳ１４で、映像装置１０がＤＶ機器であると判定されると、コンピュータ１１は、ステップＳ１８において、ＩＥＥＥ１３９４バスを経由して映像装置１０からＤＶフォーマットのデータを受信するためのドライバ（ＤＶドライバ）を読み込む。
【００５１】
ＭＰＥＧドライバとＤＶドライバは、ＩＥＥＥ１３９４に規定されたＡＶプロトコルのＭＰＥＧ伝送規定とＤＶ伝送規定にそれぞれしたがうものである。コンピュータ１１は、ＭＰＥＧドライバやＤＶドライバを介して取得されたビデオ・オーディオ信号を必要に応じてデコードしてモニタ等に表示する。また、コンピュータ１１のハードディスク等にそのビデオ・オーディオ信号を記録するように制御することも可能である。
【００５２】
前述したように、ＯＳ（Operating System）によっては、このように選択的に読み込まれたドライバに、対応するフォーマット以外のフォーマットを有する信号が提供されると、コンピュータ１１自身がハングアップするなどの不具合を生じる場合がある。
【００５３】
次に、図６を参照して、複数フォーマットのビデオ・オーディオ信号を出力することができる映像装置１０において、動作モードやフォーマット等の選択を行うメニューの一例について説明する。このようなメニュー画面は、たとえば、映像装置１０のモニタ部やファインダ部に、ＯＳＤ（On-Screen Display）機能を利用して表示される。また、ユーザが、メニュー画面に表示された各項目を選択するために、たとえば、映像装置１０の操作部に配置されたボタン、スイッチ、あるいはダイヤルとボタンを兼ね備えたタイプの入力手段が利用される。また、このようなメニューの構成や選択機能は、従来の映像装置１００と同様のものである。
【００５４】
図６の左側に示されたメニュー５１は、映像装置１０の動作モードを選択するものであり、たとえば、ビデオ録画モードやビデオ再生モード等のなかから、１つの動作モードを選択する。この例では、ビデオ再生モードが選択された例が示されている。
【００５５】
メニュー５１において、ビデオ再生モードが選択されると、右側にメニュー５２がポップアップされ、ビデオ再生モードにおいて、どのフォーマットにしたがって、ビデオ・オーディオ信号を出力するかを選択する。メニュー５２は、メニュー５１で選択されたモードに応じて表示される。したがって、メニュー５２に表示される項目の内容および数は、メニュー５１で選択された項目に応じて変化しうる。
【００５６】
メニュー５２の項目で、「オート」が選択されると、映像装置１０は、たとえばカセットテープのような記録メディアに記録されたビデオ・オーディオ信号を、その記録されたフォーマットで再生する。たとえば、映像装置１０がＤＶフォーマットおよびＨＤＶフォーマットに対応する場合であれば、ＤＶ信号またはＭＰＥＧ信号を出力する。このとき、映像装置１０がコンピュータ１１と、ＩＥＥＥ１３９４バスを介して接続されると、ＤＶ信号を出力している場合、コンピュータ１１はその映像装置１０をＤＶ機器とみなしてＤＶ用のドライバを読み込み、ＭＰＥＧ信号を出力している場合、コンピュータ１１はその映像装置１０をＭＰＥＧ機器とみなしてＭＰＥＧ用のドライバを読み込む。
【００５７】
ここで、ＤＶフォーマットとＨＤＶフォーマットのビデオ・オーディオ信号が混在して記録されている記録メディアを従来の映像装置１００で再生する場合、コンピュータ１１に接続した時点で再生していたフォーマットと異なるフォーマットのビデオ・オーディオ信号が再生されると、前述のようにコンピュータ１１のハングアップを誘発する危険性がある。
【００５８】
メニュー５２で、「ＨＤＶ」が選択されている場合、映像装置１００は、記録メディア上の記録フォーマットに関わらずＭＰＥＧ信号しか出力しない。ＤＶフォーマットのビデオ・オーディオ信号が記録されている部分については、ＭＰＥＧダミー信号が出力される。このため、どの時点でコンピュータ１１に接続されてもコンピュータ１１はＭＰＥＧ用のドライバを読み込み、以降、この「ＨＤＶ」が選択されている限り、上記ハングアップの問題は回避される。
【００５９】
他方、メニュー５２で、「ＤＶ」が選択されている場合、映像装置１００は、記録メディア上の記録フォーマットに関わらずＤＶ信号しか出力しない。ＭＰＥＧフォーマットのビデオ・オーディオ信号が記録されている部分については、ＤＶダミー信号が出力される。このため、どの時点でコンピュータ１１に接続されてもコンピュータ１１はＤＶ用のドライバを読み込み、以降、この「ＤＶ」が選択されている限り、上記ハングアップの問題は回避される。
【００６０】
逆に、メニュー５２で「ＨＤＶ」を選択してコンピュータ１１と接続した後に、メニュー５２で「ＤＶ」を選択するよう切り換えた場合、または、メニュー５２で「ＤＶ」を選択してコンピュータ１１と接続した後に、メニュー５２で「ＨＤＶ」を選択するよう切り換えた場合は、コンピュータ１１がハングアップする可能性がある。
【００６１】
ただし、このように選択を切り換える場合でも、ＩＥＥＥ１３９４ケーブルをユーザが（映像装置１００あるいはコンピュータ１１から）一旦抜いて、再度差し込めば、コンピュータ１１では、切り換えられたフォーマットに対応するドライバが新たに読み込まれるため、問題は生じない。しかしながら、メニュー５２で「オート」が選択されている場合であって、記録メディアにＤＶ信号とＭＰＥＧ信号が混在して記録されている場合は、ユーザが記録フォーマットが変化する都度、ケーブルを抜き差しするわけにもいかず、ハングアップの問題を避けて通ることはできない。
【００６２】
ここで、従来の映像装置１００について生じる上記の状況を、図７ないし図１２を参照して具体的に説明する。図７は、ビデオ再生モードで「オート」が選択された（メニュー５２で「オート」が選択された）場合であって、混在記録のために、再生の途中で、記録メディアに記録されたビデオ・オーディオ信号が、ＭＰＥＧ信号からＤＶ信号に変化した場合を示している。
【００６３】
当初、従来の映像装置１００からはＭＰＥＧ信号が出力され、それに応じてコンピュータ１１では、ＭＰＥＧ用ドライバが読み込まれる。しかしながら、途中で映像装置１００からＤＶ信号が出力されると、コンピュータ１１にはＭＰＥＧ用ドライバが読み込まれたままなので、その時点でハングアップしてしまう。
【００６４】
図８は、図７とはビデオ・オーディオ信号の変化のパターンが逆の場合である。すなわち、ビデオ再生モードで「オート」が選択された（メニュー５２で「オート」が選択された）場合であって、混在記録のために、再生の途中で、記録メディアに記録されたビデオ・オーディオ信号が、ＤＶ信号からＭＰＥＧ信号に変化した場合を示している。
【００６５】
当初、映像装置１００からはＤＶ信号が出力され、それに応じてコンピュータ１１では、ＤＶ用ドライバが読み込まれる。しかしながら、途中で映像装置１００からＭＰＥＧ信号が出力されると、コンピュータ１１にはＤＶ用ドライバが読み込まれたままなので、その時点でハングアップしてしまう。
【００６６】
図９は、ビデオ再生モードで「ＨＤＶ」が選択された（メニュー５２で「ＨＤＶ」が選択された）場合であって、混在記録のために、再生の途中で、記録メディアに記録されたビデオ・オーディオ信号が、ＭＰＥＧ信号からＤＶ信号に変化した場合を示している。
【００６７】
当初、映像装置１００からはＭＰＥＧ信号が出力され、それに応じてコンピュータ１１では、ＭＰＥＧ用ドライバが読み込まれる。その後、記録メディアに記録されたビデオ・オーディオ信号がＤＶ信号となるが、映像装置１００のビデオ再生モードが「ＨＤＶ」であるため、ＭＰＥＧフォーマットのダミー信号（ＭＰＥＧダミー信号）が出力される。コンピュータ１１は、この信号を、読み込まれたままのＭＰＥＧ用ドライバで処理するため、ハングアップの問題は生じない。ただし、この場合、ハングアップを回避することはできるが、ＤＶフォーマットで記録された部分はＭＰＥＧダミー信号となるため、当該部分を視聴することはできない。
【００６８】
図１０は、ビデオ再生モードで「ＤＶ」が選択された（メニュー５２で「ＤＶ」が選択された）場合であって、混在記録のために、再生の途中で、記録メディアに記録されたビデオ・オーディオ信号が、ＤＶ信号からＭＰＥＧ信号に変化した場合を示している。
【００６９】
当初、映像装置１００からはＤＶ信号が出力され、それに応じてコンピュータ１１では、ＤＶ用ドライバが読み込まれる。その後、記録メディアに記録されたビデオ・オーディオ信号がＭＰＥＧ信号となるが、映像装置１００のビデオ再生モードが「ＤＶ」であるため、ＤＶフォーマットのダミー信号（ＤＶダミー信号）が出力される。コンピュータ１１は、この信号を、読み込まれたままのＤＶ用ドライバで処理するため、ハングアップの問題は生じない。ただし、この場合、ハングアップを回避することはできるが、ＭＰＥＧフォーマットで記録された部分はＤＶダミー信号となるため、当該部分を視聴することはできない。
【００７０】
図１１は、ビデオ再生モードで「ＨＤＶ」が選択された（メニュー５２で「ＨＤＶ」が選択された）場合であって、記録メディアにはＭＰＥＧフォーマットのビデオ・オーディオ信号のみが記録されており、ＭＰＥＧ信号を再生している途中で、ユーザの誤操作等により、ビデオ再生モードを「ＤＶ」に切り換えてしまった場合を示している。
【００７１】
当初、映像装置１００からはＭＰＥＧ信号が出力され、それに応じてコンピュータ１１では、ＭＰＥＧ用ドライバが読み込まれる。その後、記録メディアにはＭＰＥＧフォーマットのビデオ・オーディオ信号のみが記録されているにも関わらず、映像装置１００のビデオ再生モードが強制的に「ＤＶ」に切り換えられるため、ＤＶフォーマットのダミー信号（ＤＶダミー信号）が出力される。コンピュータ１１は、この信号を、読み込まれたままのＭＰＥＧ用ドライバで処理するため、ハングアップの問題が生じる。
【００７２】
図１２は、ビデオ再生モードで「ＤＶ」が選択された（メニュー５２で「ＤＶ」が選択された）場合であって、記録メディアにはＤＶフォーマットのビデオ・オーディオ信号のみが記録されており、ＤＶ信号を再生している途中で、ユーザの誤操作等により、ビデオ再生モードを「ＨＤＶ」に切り換えてしてしまった場合を示している。
【００７３】
当初、映像装置１００からはＤＶ信号が出力され、それに応じてコンピュータ１１では、ＤＶ用ドライバが読み込まれる。その後、記録メディアにはＤＶフォーマットのビデオ・オーディオ信号のみが記録されているにも関わらず、映像装置１００のビデオ再生モードが強制的に「ＨＤＶ」に切り換えられるため、ＭＰＥＧフォーマットのダミー信号（ＭＰＥＧダミー信号）が出力される。コンピュータ１１は、この信号を、読み込まれたままのＤＶ用ドライバで処理するため、ハングアップの問題が生じる。
【００７４】
次に、図１３を参照して、本発明による映像装置１０において、上記ハングアップの問題を回避するための方法について説明する。図１３に示す映像装置１０では、当初、ビデオ再生モードで「ＨＤＶ」が選択され、コンピュータ１１は接続時にＭＰＥＧ用ドライバを読み込む。ビデオ再生モードで「ＨＤＶ」であるため、記録メディアに記録されているビデオ・オーディオ信号がＭＰＥＧフォーマットでもＤＶフォーマットでもＭＰＥＧフォーマットの信号が出力される。すなわち、記録メディアにＭＰＥＧフォーマットのビデオ・オーディオ信号が記録されている場合は、ＭＰＥＧ信号が出力され、ＤＶフォーマットの場合は、ＭＰＥＧダミー信号が出力される。
【００７５】
ここで、ユーザによってビデオ再生モードが、「ＨＤＶ」から「ＤＶ」に切り換えられ、ＤＶ信号がコンピュータ１１に出力される場合、映像装置１０は、一旦、映像装置１０とコンピュータ１１の間のＩＥＥＥ１３９４バスの接続を遮断し、一定の時間が経過した後、再度この間を接続するよう制御する。
【００７６】
このような制御を行うことによって、コンピュータ１１は、再接続の際に、ＤＶ用ドライバを読み込み、映像装置１０から出力されるＤＶ信号を正常に受信することができる。映像装置１０の上記遮断と再接続の制御は、実質的にはＩＥＥＥ１３９４ケーブルを抜き差しすることなく行われる一方で、コンピュータ１１では、そのＩＥＥＥ１３９４ケーブルが抜き差しされたのと同等の効果が生じる。
【００７７】
図１３は、ユーザがなんらかの理由で、記録メディアにはＨＤＶフォーマットのビデオ・オーディオ信号が記録されているにもかかわらず、ビデオ再生モードを「ＨＤＶ」から「ＤＶ」に切り換えてしまった例であるが、記録メディアにはＤＶフォーマットのビデオ・オーディオ信号が記録されているにもかかわらず、ビデオ再生モードを「ＤＶ」から「ＨＤＶ」に切り換えてしまったような逆のケースでも映像装置１０の同様の制御によってハングアップの問題を回避することができる。
【００７８】
また、ビデオ再生モードが「オート」にされた場合に、記録メディアに記録されたビデオ・オーディオ信号がＨＤＶフォーマットからＤＶフォーマットに変わった場合（また、逆に、ＤＶフォーマットからＨＤＶフォーマットに変わった場合）、映像装置１０は、そのフォーマットの変化を検出して、上記遮断と再接続の制御を行うようにすることも可能である。
【００７９】
次に、図１３に示す処理を実現するための映像装置１０の手順について、図１４のフローチャートを参照して説明する。この例では、出力されるビデオ・オーディオ信号のフォーマットが切り換えられたことを検出した映像装置１０のインタフェース制御部３６は、一旦、インタフェース部３７を実質的に構成するＩＣ（Integrated Circuit）をリセット状態にし、一定時間経過後にリセット解除する。その後、インタフェース制御部３６は、そのインタフェース部３７のリセットによるＩＥＥＥ１３９４バスからの切り離し（遮断）を自ら検出して、通常時に、ケーブルが抜かれた場合と同様の処理を行う。
【００８０】
さらにその後、インタフェース制御部３６は、そのインタフェース部３７のリセット解除によるＩＥＥＥ１３９４バスへの接続を自ら検出して、通常時に、ケーブルが差された場合と同様の処理を行う。
【００８１】
このようなＩＥＥＥ１３９４バスからの切り離しは、インタフェース制御部３６の構成にもよるが、たとえば、以下の方法が考えられる。
（１）インタフェース部３７に対応するＩＣを停止させることによって、ＩＥＥＥ１３９４バスから切り離す。
（２）ＣＰＵ４１を含むインタフェース制御部３６を停止させることによって、ＩＥＥＥ１３９４バスから切り離す。
（３）映像装置１０そのものの電源を落とすことによって、ＩＥＥＥ１３９４バスから切り離す。この場合、映像装置１０は、電源の遮断および投入を制御する電源部を備えることが必要である。
【００８２】
図１４のフローチャートにおいて、最初に、ステップＳ３０において、ビデオ再生モードの切り換えが行われたかどうかを検出する。この検出は、ユーザがメニューを操作して、「ＨＤＶ」から「ＤＶ」に、または「ＤＶ」から「ＨＤＶ」に切り換えた操作を検知する。また、「オート」の場合は、記録メディアに記録されたビデオ・オーディオ信号のフォーマットが切り換わったことを検知する。
【００８３】
ステップＳ３０の処理は、切り換えが行われるまで所定の時間繰り返しチェックされる（ステップＳ３０のＮＯ）。ビデオ再生モードの切り換え、または、出力されるビデオ・オーディオ信号のフォーマットの切り換えが検出された場合（ステップＳ３０のＹＥＳ）、ステップＳ３２で、ケーブル抜き処理が行われる。これは、物理的に、映像装置１０やコンピュータ１１からＩＥＥＥ１３９４ケーブルを抜くものではなく、論理的なネットワーク遮断を意味するものであり、たとえば、所定のバイアス信号を停止する処理である。この処理の、より具体的な態様は図１５および図１６を参照して後述する。
【００８４】
映像装置１０でケーブル抜き処理が行われると、映像装置１０は、ステップＳ３４でケーブルが（論理的に）抜かれたかどうか検出する。
【００８５】
ステップＳ３４で、ケーブルが抜かれたことが検知されると（ステップＳ３４のＹＥＳ）、ステップＳ３６で、ケーブル抜き対応処理が行われる。この処理は、映像装置１０が通常時、ケーブルの抜かれた場合に行う処理と同様のものである。
【００８６】
映像装置１０は、ステップＳ３８で、一定期間ループし、次のステップＳ４０の処理を遅延させる。これは、ケーブルの抜き差しをあまりに速く行うと、コンピュータ１１側の検知処理が追いつかず、コンピュータ１１が結果的に、ケーブルの抜き差しがなかったと判断してしまうことを避けるためである。
【００８７】
ステップＳ４０では、ケーブル差し処理が行われる。これは、物理的に、映像装置１０とコンピュータ１１との間のＩＥＥＥ１３９４ケーブルで接続するものではなく、論理的なＩＥＥＥ１３９４バスの再接続を意味するものであり、たとえば、所定のバイアス信号を出力する処理である。この処理の、より具体的な態様は図１５および図１６を参照して後述する。
【００８８】
ステップＳ４０でケーブル差し処理が行われると、映像装置１０は、ステップＳ４２でケーブルが（論理的に）差されたかどうか検出する。
【００８９】
ステップＳ４２で、ケーブルが差されたことが検知されると（ステップＳ４２のＹＥＳ）、ステップＳ４４で、ケーブル差し対応処理が行われる。この処理は、映像装置１０が通常時、ケーブルの差された場合に行う処理と同様のものである。
【００９０】
次に、図１５を参照して、図４で示したＣＰＵ４１、ＬＩＮＫ部４２、およびＰＨＹ部４３の間の信号のやりとりについて説明する。ＬＰＳ信号は、ＬＩＮＫ部４２のパワーステータスを示すものであり、たとえば信号の内容が「１」であればＬＩＮＫ部４２がアクティブであることを示し、「０」であればオフであることを示す。
【００９１】
ＣＬＫＬ信号は、ＬＩＮＫ部４２に提供されるクロック情報である。「１」は、ＬＩＮＫ部４２にクロックが提供されていることを示し、「０」は、クロックの提供が停止されていることを示す。ＸＲＳＴＬ信号は、「１」で、ＬＩＮＫ部４２のリセットを解除し、ＬＩＮＫ部４２へのクロックを提供する。「０」では、ＬＩＮＫ部４２のリセットおよびＬＩＮＫ部４２へのクロック提供の停止を示す。
【００９２】
ＸＲＳＴＰ信号は、「１」でＰＨＹ部４３のリセットを解除し、ＰＨＹ部４３へのクロックを提供する。「０」では、ＰＨＹ部４３のリセットおよびＰＨＹ部４３へのクロック提供の停止を示す。
【００９３】
次に、図１６を参照して、本発明の映像装置１０がどのような手順でＩＥＥＥ１３９４バスの遮断と再接続を制御するか、図１５で示した各信号の送信タイミングを示しながら説明する。なお、図１６Ａは従来の映像装置における各信号のタイミングを示したものであり、図１６Ｂは、本発明の映像装置１０におけるタイミングを示したものである。ここで、図１６Ａおよび図１６Ｂの場合、ともに、ＣＰＵ４１、ＬＩＮＫ部４２、およびＰＨＹ部４３は個別のチップにより構成されている（すなわち、図４に示した３チップ構成である）との前提を設ける。
【００９４】
図１６Ａでは、最初に、ＩＥＥＥ１３９４ケーブルが物理的に抜かれる。ＰＨＹＡＣＴの信号の、ハイレベルからローレベルへの変化は、そのことを示している。その後、このＩＥＥＥ１３９４ケーブルが抜かれたことに応答して、ＬＰＳ信号を「１」から「０」に変化させる。これは、同一のＩＥＥＥ１３９４バス上の他の機器からＬＩＮＫ状態を参照されることが考えられるため、ケーブルを抜いたことによりＬＩＮＫ部が停止することを示しておくためである。
【００９５】
その後、ＸＲＳＴＬ信号を「１」から「０」に変化させ、ＬＩＮＫ部を実際に停止させる（リセットをかけ、クロックの受信を停止する）。さらにそれから所定の期間が経過した後、ＣＬＫＬ信号を「１」から「０」にして、ＬＩＮＫ部へのクロックの提供を停止させる。
【００９６】
さらにその後、ＸＲＳＴＰ信号を「１」から「０」にして、ＰＨＹ部を停止させる（リセットをかけ、クロックの受信を停止する）。
【００９７】
この時点で、この映像装置は、それまで接続していたＩＥＥＥ１３９４バスから物理的に遮断される。たとえば、そのネットワーク上の他の機器により、接続された機器の一覧を表示させても、表示されない状態となる。
【００９８】
この後、ＩＥＥＥ１３９４ケーブルが物理的に差し込まれると（ＰＨＹＡＣＴの信号が、ローレベルからハイレベルに変化する）、これを検知して、上記とは逆の順序で、すなわち、ＸＲＳＴＰ信号、ＣＬＫＬ信号、ＸＲＳＴＬ信号、およびＬＰＳ信号の順で、それぞれ「０」から「１」に戻される。この制御により、物理層およびデータリンク層の機能が所定の順に活動化され、映像装置１００がＩＥＥＥ１３９４バスに接続され、その時点での映像装置１００のビデオ再生モードに応じたフォーマットのドライバがコンピュータ１１に読み込まれる。
【００９９】
図１６Ａでは、ＩＥＥＥ１３９４ケーブルを物理的に抜き差しすれば、映像装置がＩＥＥＥ１３９４バスから一旦遮断され、コンピュータ１１側で、再接続の際に適切なドライバが読み込まれる。しかしながら、本発明では、ＩＥＥＥ１３９４ケーブルの物理的な抜き差しをすることなく、このような効果が得られる。
【０１００】
そのことを、図１６Ｂを参照して説明する。図１６Ａで説明したとおり、ＩＥＥＥ１３９４ケーブルが物理的に抜き差しされると、ＰＨＹＡＣＴの信号は、ハイレベルからローレベルに、あるいはローレベルからハイレベルに変化するが、ここでは、ＩＥＥＥ１３９４ケーブルの抜き差しはないため、ＰＨＹＡＣＴの信号は変化しない。
【０１０１】
映像装置１０は、インタフェース制御部３６において、ユーザがメニュー操作によりビデオ再生モードをたとえば「ＨＤＶ」から「ＤＶ」に、あるいは「ＤＶ」から「ＨＤＶ」に切り換えたことを検出し、または、ビデオ再生モードが「オート」であり、かつ記録メディアに記録されたビデオ・オーディオ信号のフォーマットが変化したことを検出した場合に、一旦、インタフェース部３７（ＬＩＮＫ部４２およびＰＨＹ部４３）をリセット状態とし、一定時間経過後に再度リセット解除する。
【０１０２】
この処理を、より詳細に説明する。映像装置１０は、ユーザがメニュー操作によりビデオ再生モードをたとえば「ＨＤＶ」から「ＤＶ」に、あるいは「ＤＶ」から「ＨＤＶ」に切り換えたことを検出した場合、または、ビデオ再生モードが「オート」であり、かつ記録メディアに記録されたビデオ・オーディオ信号のフォーマットが変化したことを検出した場合に、まず、ＬＰＳ信号を「１」から「０」に変化させる。
【０１０３】
これは、同一のＩＥＥＥ１３９４バス上の他の機器からＬＩＮＫ状態を参照されることが考えられるため、ＩＥＥＥ１３９４バスから離脱する前に、ＬＩＮＫ部４２が動作停止することを示しておくためである。ＬＩＮＫ部４２が非動作状態であれば、外からの応答は無効になるため、ＬＩＮＫ部４２より上位層への問い合わせも行われなくなり、状態遷移時に不正な応答をしてしまうのを防ぐことができる。
【０１０４】
ＬＰＳ信号をこのように変化させた後、ＸＲＳＴＬ信号を「１」から「０」に変化させ、ＬＩＮＫ部を停止させる（すなわち、リセットをかけ、クロックの受信を停止する）。さらにその後、ＣＬＫＬ信号を「１」から「０」にして、ＬＩＮＫ部へのクロックの提供を停止させる。
【０１０５】
さらにその後、ＸＲＳＴＰ信号を「１」から「０」にして、ＰＨＹ部を停止させる（すなわち、リセットをかけ、クロックの受信を停止する）。
【０１０６】
この処理により、映像装置１０は、それまで接続していたＩＥＥＥ１３９４バスから論理的に遮断された状態となる。たとえば、そのネットワーク上の他の機器により、接続された機器の一覧を表示させても、映像装置１０は表示されない。
【０１０７】
ここで、ＸＲＳＴＰ信号は、所定の時間「０」のまま維持される。この所定の時間は、コンピュータ１１側が、映像装置１０のＩＥＥＥ１３９４バスの離脱を検知し、それまでこの映像装置１０に対応するために読み込んでいたドライバを無効とする（たとえば、所定の記憶域から消去する）のに十分な時間である。
【０１０８】
上記所定の時間が経過すると、上記とは逆の順序で、すなわち、ＸＲＳＴＰ信号、ＣＬＫＬ信号、ＸＲＳＴＬ信号、およびＬＰＳ信号の順で、それぞれ「０」から「１」に戻される。この制御により、物理層およびデータリンク層の機能が所定の順序で活動化され、映像装置１０が再びＩＥＥＥ１３９４バスに接続され、その時点での映像装置１０のビデオ再生モードに応じたフォーマットのドライバがコンピュータに読み込まれる。
【０１０９】
本発明では、このように、映像装置１０から出力するフォーマットが変更される際に、ＩＥＥＥ１３９４バスに対する遮断・再接続が擬制されるので、コンピュータ１１では、それに応答して対応する適切なドライバを読み込むことができ、結果的にハングアップ等の不具合が回避される。
【０１１０】
なお、この例では、ＣＰＵ４１、ＬＩＮＫ部４２、およびＰＨＹ部４３は個別のチップにより構成される３チップ構成であるとの前提で上記遮断・再接続処理を説明したが、他の構成においても同様の処理を実現することができる。たとえば、チップ構成が変わればリセットやリセット解除の単位が変わる可能性がある。
【０１１１】
また、ここでは、映像装置１０とコンピュータ１１がＩＥＥＥ１３９４バスに接続される例について本発明の実施形態を説明してきたが、他のネットワーク接続についても本発明の技術的思想を適用することが可能である。またさらに、本発明は、有線接続だけでなく、無線接続においても適用可能である。
【０１１２】
次に、図１７を参照して、コンピュータ１１の基本的な構成について説明する。コンピュータ１１は、ＣＰＵ（Central Processing Unit）７１、ＲＯＭ（Read Only Memory）７２、ＲＡＭ（Random Access Memory）７３、外部記憶装置７４、入力手段７５、表示手段７６、音声出力手段７７、インタフェース部７８、およびこれらの各構成要素を互いに接続するバス７９を含んでいる。
【０１１３】
ＣＰＵ７１は、各構成要素の動作、および各構成要素間のデータの送受信を制御し、プログラムによる指令を実行する。たとえば、映像装置１０から提供されるビデオ・オーディオ信号のデコード処理などの画像・音声処理も、ＣＰＵ７１の制御のもとで、必要に応じて行われる。
【０１１４】
ＲＯＭ７２は、電源を切ってもデータは消えない不揮発性の記憶デバイスであり、ＣＰＵ７１がコンピュータ１１の電源立ち上げ時に最初に実行するコードなどが記憶されている。
【０１１５】
ＲＡＭ７３には、実行中のプログラムやそのプログラムで使用するデータ等がロードされる。映像装置１０がＩＥＥＥ１３９４バスを介して接続された場合に、その映像装置１０が提供するビデオ・オーディオ信号のフォーマットに応じて選択されるドライバもＲＡＭ７３にロードされ（読み込まれ）、映像装置１０からのビデオ・オーディオ信号が、そのドライバプログラムの処理を経由してコンピュータ１１に取り込まれる。
【０１１６】
外部記憶装置７４は、ハードディスク等の記憶装置であり、各種プログラム、データが記憶されており、ＲＡＭ７３にロードされるドライバのモジュールも外部記憶装置７４に記憶されうる。入力手段７５は、たとえば、キーボードやマウス等の入力手段であり、ユーザは、この手段を使用して、ＣＰＵ７１に所定の処理を行うよう指示する。
【０１１７】
また、表示手段７６は、ＬＣＤ（Liquid Crystal Display）やＣＲＴ（Cathode Ray Tube）等のモニタであり、ユーザは、ここに示された内容を見ることにより情報を受け取り、ここに表示されたメニュー画面等に基づいて所定の指示を行う。映像装置１０から送信されるビデオ信号はこの表示手段７６に表示され、映像装置１０で録画した映像が再生される。
【０１１８】
音声出力手段７７は、たとえば、スピーカであり、映像装置１０から送信されるオーディオ信号は、この音声出力手段７７に出力され、映像装置１０によって録音された音が再生される。
【０１１９】
インタフェース部７８は、ＩＥＥＥ１３９４バスとの接続を実現する。映像装置１０から提供されるビデオ・オーディオ信号は、インタフェース部７８を介してドライバに提供され、必要なデコード処理等の後、表示手段７６および音声出力手段７７に出力される。
【０１２０】
コンピュータ１１は、たとえばパーソナルコンピュータのようなコンピュータであるが、上述した構成要素を備え、映像装置１０からのビデオ・オーディオ信号を所定の専用ソフト（ドライバ)で受信する限り、どのような装置でもよい。
【図面の簡単な説明】
【０１２１】
【図１】本発明の一実施形態に係る映像装置１０が、コンピュータ１１にＩＥＥＥ１３９４ケーブルを介して接続されている状態を示す略線図である。
【図２】本発明の一実施形態に係る映像装置１０が、ＩＥＥＥ１３９４バスに接続された場合と、遮断された場合で、コンピュータ１１がどのように映像装置１０を認識するかを概念的に示す略線図である。
【図３】本発明の一実施形態に係る映像装置１０の構成を示すブロック図である。
【図４】本発明の一実施形態に係る映像装置１０のインタフェース制御部とインタフェース部に対応する構成要素のチップ構成のバリエーションを示した略線図である。
【図５】コンピュータ１１において、映像装置１０からのビデオ・オーディオ信号をＩＥＥＥ１３９４ケーブル経由で受信する際の処理手順を示したフローチャートである。
【図６】本発明の一実施形態に係る映像装置１０において、ビデオ再生モードを設定するためのメニュー画面の例を表した略線図である。
【図７】従来の映像装置において、出力するビデオ・オーディオ信号のフォーマットが途中で変化した場合のコンピュータの動作を概念的に示す略線図である。
【図８】従来の映像装置において、出力するビデオ・オーディオ信号のフォーマットが途中で変化した場合のコンピュータの動作を概念的に示す略線図である。
【図９】従来の映像装置において、出力するビデオ・オーディオ信号のフォーマットが途中で変化した場合のコンピュータの動作を概念的に示す略線図である。
【図１０】従来の映像装置において、出力するビデオ・オーディオ信号のフォーマットが途中で変化した場合のコンピュータの動作を概念的に示す略線図である。
【図１１】従来の映像装置において、ビデオ・オーディオ信号の出力中に再生モードが切り換えられた場合のコンピュータの動作を概念的に示す略線図である。
【図１２】従来の映像装置において、ビデオ・オーディオ信号の出力中に再生モードが切り換えられた場合のコンピュータの動作を概念的に示す略線図である。
【図１３】本発明の一実施形態に係る映像装置１０において、ビデオ・オーディオ信号の出力中に再生モードが切り換えられた場合のコンピュータ１１の動作を概念的に示す略線図である。
【図１４】本発明の一実施形態に係る映像装置１０において、ＩＥＥＥ１３９４ケーブルの抜き差しを擬制する処理手順を示すフローチャートである。
【図１５】本発明の一実施形態に係る映像装置１０において、ＩＥＥＥ１３９４ケーブルの抜き差しを擬制する処理の詳細を示す略線図である。
【図１６】本発明の一実施形態に係る映像装置１０の、ＩＥＥＥ１３９４ケーブルの抜き差しを擬制する処理において、各種信号の変化のタイミングを従来の方法と比較して示したタイミングチャートである。
【図１７】コンピュータ１１の構成の例を示すブロック図である。
【符号の説明】
【０１２２】
１０・・・映像装置、１１・・・コンピュータ、１２・・・モニタ、１３・・・スピーカ、１４・・・ＩＥＥＥ１３９４ケーブル、２１，２２，２３・・・機器、２４・・・ネットワーク、３１・・・カメラ部、３２・・・カメラ制御部、３３・・・機構制御部、３４・・・ユーザインタフェース制御部、３５・・・信号制御部、３６・・・インタフェース制御部、３７・・・インタフェース部、３８・・・ネットワーク、４１・・・ＣＰＵ、４２・・・ＬＩＮＫ部、４３・・・ＰＨＹ部
【図１】
2006113766.tif 000003
【図２】
2006113766.tif 000004
【図３】
2006113766.tif 000005
【図４】
2006113766.tif 000006
【図５】
2006113766.tif 000007
【図６】
2006113766.tif 000008
【図７】
2006113766.tif 000009
【図８】
2006113766.tif 000010
【図９】
2006113766.tif 000011
【図１０】
2006113766.tif 000012
【図１１】
2006113766.tif 000013
【図１２】
2006113766.tif 000014
【図１３】
2006113766.tif 000015
【図１４】
2006113766.tif 000016
【図１５】
2006113766.tif 000017
【図１６】
2006113766.tif 000018
【図１７】
2006113766.tif 000019